(57)【要約】表面上へ適用される場合に改善された持続性を有するアルコール性香料溶液が記載される。該溶液は、空気中の付香成分の拡散を拡大することのできる有効量のシングルポリマーを含有する。【特許請求の範囲】
【請求項１】
透明で噴霧可能な香料溶液において、本質的に
ａ）エタノール５０〜９９質量％；
ｂ）付香成分又は組成物０．５〜５０質量％；
ｃ）水０．５〜５０質量％；及び
ｄ）線状の又は架橋された（メタ−）アクリル酸ホモ−ポリマー、線状の又は架橋された（メタ−）アクリレートコポリマー、アンモニウムアクリロイルジメチルタウレートホモ−又はコポリマー及びポリエチレンオキシド又はその誘導体からなる群から選択される有効量のシングルポリマー［その際に百分率は溶液の全質量に対するものである］
を含有していることを特徴とする、透明で噴霧可能な香料溶液。
【請求項２】
組成物の全質量に対して前記シングルポリマー０．０５〜１．５質量％を含有している、請求項１記載の香料溶液。
【請求項３】
香料の拡散を拡大する方法において、
エタノール５０〜９９質量％、付香成分又は組成物０．５〜５０質量％、水０．５〜５０質量％及び線状の又は架橋された（メタ−）アクリル酸ホモ−ポリマー、線状の又は架橋された（メタ−）アクリレートコポリマー、アンモニウムアクリロイルジメチルタウレートホモ−又はコポリマー及びポリエチレンオキシド又はその誘導体からなる群から選択される有効量のシングルポリマー［その際に百分率は溶液の全質量に対するものである］を含有する噴霧可能な香料溶液を表面上へ適用することを特徴とする、香料の拡散を拡大する方法。
【請求項４】
表面がヒトの皮膚からなる、請求項３記載の方法。
【請求項５】
溶液の全質量に対して前記シングルポリマー０．０５〜１．５質量％を含有する香料溶液を表面上へ適用する、請求項３記載の方法。
【請求項６】
表面上に適用される場合に香料溶液の塗布面積を減少させることのできるシングルポリマーの、前記表面からの香料の拡散を拡大するための使用。
【請求項７】
線状の又は架橋された（メタ−）アクリル酸ホモ−ポリマー、線状の又は架橋された（メタ−）アクリレートコポリマー、アンモニウムアクリロイルジメチルタウレートホモ−又はコポリマー及びポリエチレンオキシド又はその誘導体からなる群から選択されるポリマーの、請求項６記載の使用。
【請求項８】
ボトル中で、洗剤、清浄、洗浄、精製、デオドラント、制汗剤、抗菌性、コスメティック、コンディショニング又はエモリエントの性質を有する１つ又はそれ以上の成分を含有する活性基剤と共に、請求項１記載の香料溶液を含有する付香された物品。
【請求項９】
香料、オードトワレ又はコロンの形の、請求項１記載の香料溶液。
【発明の詳細な説明】
【技術分野】
【０００１】
本発明は香料製造業(perfumery)の分野に関する。本発明はより詳細には、透明で噴霧されることができる新規香料溶液に関するものであり、前記香料溶液は、表面上に適用される場合に香料組成物の塗布面積を減少させることのできる有効量のシングルポリマーが前記組成物中に存在することにより特徴付けられる。前記の新規組成物は、表面から取り巻く環境中への付香成分の拡散を拡大することができ、故に皮膚のような表面上へ適用される場合に香料の官能的効果を延長することができることが判明した。
【０００２】
背景技術
ファインフレグランスの技術において、アルコール性香料が皮膚上へ適用される場合に、揮発性のトップノートがエタノール蒸発により優先的にストリッピングされるのに対して、よりヘビーなノートが優れた持続性(tenacity)を示す、すなわちそれらがより長い期間に亘って皮膚から放出されることは十分公知である。結果として、皮膚のような支持体上での適用に向けられた香料の、特にフレグランスの最も揮発性の成分に関して、持続性を改善するか又は拡散時間を拡大することが多く試みられてきた。香料処方物におけるいわゆる“香料保留剤(perfume fixatives)”の使用は、広範に記載されており、かつ通常、付香成分を構造中に保持し、かつ周囲空気中へのそれらの放出を遅くさせるために、香料組成物に組成物自体の構造を化学的に改変することのできる１つ又はそれ以上の成分を添加することにある。
【０００３】
特に、一部の特許文献には、添加された組成物をゲル化するか又は凝固すらさせ、故に空気中の特に揮発性の成分の拡散を遅くさせる効果を有する成分の使用が開示されている。例えば、EP 181401には、アルコールが不活性化され、故にフレグランスが持続性であるゲル様の固体混合物を形成するために、香油をヒドロキシプロピルセルロース１〜５％を含有するアルコール溶液に添加することにより形成された混合物を、Ｎ−メチル−２−ピロリドン中のジベンジリデンソルビタールの飽和溶液と混合することにより形成されたゲル化された香料が記載されている。この方法において、アルコールの揮発性はヒドロキシプロピルセルロースの配合により減少され、かつ同時に、ジベンジリデン−ソルビトールの存在により活性化されたゲル化は、フレグランスの散乱を制御することを可能にする。他方では、EP 857481には、オルガノシロキサン化合物を炭化水素化油、シリコーン化油又はフッ素化油と一緒に会合させるゲルの形の組成物が記載されている。これらの添加剤は大量に添加され、かつゲルの形成に寄与する。
【０００４】
ゲル化又は凝固を用いて香料を保持する組成物を開示しているこれらの刊行物は、噴霧されることのできる低い粘度の香料を製造することはできない。
【０００５】
EP 700677は、香料を保留する及び／又は皮膚用組成物又は化粧組成物からの香料放出を拡大するという同じ問題に取り組んでいる。より詳細には、前記刊行物には、植物ガムと組み合わされた植物抽出物からなる植物性化合物のそのような組成物における使用が記載されている。その開示において、エタノールのような溶剤が、重要な量の香料がたちまち放出するのを回避するために組成物中に低量で存在しなければならないことが挙げられている。この制限はそのような組成物が精製香料製造業の分野において使用されることを妨げ、その際に香料溶液は本質的に、付香成分を可溶化させるために、極めて大量のアルコールの使用をベースとしている。
【０００６】
他方では、US 6,172,037には、３つの特別な成分、すなわちポリビニルピロリドン、ヒドロキシプロピルセルロース及び不揮発性の疎水性油の会合により構成される香料保留剤が開示され、その際に最初の２つの成分は、香料含有製品の０．５質量％未満の量で存在している。こうして製造された香料はデオドラント、デオ−コロン及び制汗剤のような用途において特に有用である。この刊行物において、３つの成分の組合せはフレグランス寿命を高めるのに本質的であるが、しかし後者の量は制限される、それというのも、それらは多量に使用される場合に使用者により識別可能だからである。前記の刊行物において与えられた全ての例は、デオドラントタイプの適用における意図された使用のための香料処方物であり、故に制限された量の香料、通常、最終組成物の全質量に対して香料１〜２質量％を含有する。故に、開示される保留剤成分は、より多量の香料を含有するファインフレグランス又は香料処方物におそらく適していない、それというのも、保留剤はより多量に使用されなければならず、故に使用者により検出可能であろうからである。
【０００７】
故に、香料中に存在している揮発性の成分の拡散を拡大することのできる“保留剤成分”に関連した既存の先行技術を考慮して、今日までに提供された組成物が依然として、多くの制限を有しかつ、特に、先行技術の溶液のいずれも、精製香料製造業における適用、すなわち、透明で噴霧可能でなければならない香料処方物が、多量のアルコール及び多量の付香成分を含有する適用に適していない。目下、本発明は、前記の問題のための解決手段を提供し、かつ本質的に多量のアルコール、多量の付香成分及び水の存在をベースとする透明な香料溶液、すなわち、任意の種類の表面上に適用される場合、特に皮膚上へ適用される場合に、香料、特に揮発性のノート又はトップノートの拡散を徐々に拡大することができる有効量の単一活性成分と一緒に精製香料製造業において典型的に使用される処方物に関する。さらに本発明の香料組成物はより直線的な放出プロフィールを有し、故に香料は時間に亘ってより均衡のとれたままである。
【０００８】
発明の開示
故に本発明は、本質的にはエタノール５０〜９９質量％；付香成分又は組成物０．５〜５０質量％；及び水０．５〜５０質量％、及び線状の又は架橋された（メタ−）アクリル酸ホモ−ポリマー、線状の又は架橋された（メタ−）アクリレートコポリマー、アンモニウムアクリロイルジメチルタウレートホモ−又はコポリマー及びポリエチレンオキシド又はその誘導体からなる群から選択される有効量のシングルポリマーを含有する透明で噴霧可能な香料溶液に関するものであり、その際に質量％は組成物の全質量に対するものである。故に前記香料溶液は、表面上へ適用される場合に組成物の塗布面積を減少させることのできる有効量のシングルポリマーの存在により特徴付けられる。本発明は、支持体からの香料の拡散を拡大するという極めて十分公知の問題のための新規の解決手段を提供する。この解決手段は、多くのタイプの適用、及び特に精製香料製造業における使用に向けられた香料処方物、例えば香料及びオードトワレに適合し、これらのためには今日までに公知である保留剤成分は上記で説明された理由のために適切でなかった。
【０００９】
本発明により提供される溶液は、先行技術において開示されたように、たいてい保留剤の化学的性質に依存する保留剤成分と付香成分との間での特別な相互作用によらない。実際、本発明による香料溶液に添加される活性成分は、香料の拡散を拡大するという効果と共に、液体の物理的性質、すなわち表面上へ適用される場合にいわゆる“塗布面積”により測定されるその塗布能力を改変することができる一方で、その際に有利には良好な噴霧適性を保持する。
【００１０】
“塗布面積(spreading area)”は当工業界における当業者に十分公知のパラメーターであり、固体と液体との間の界面で測定可能である。液体が固体表面と接触される際に、部分的な湿潤の場合に、特定の接触角を有する小滴が固体表面上に形成され、かつ液体の“塗布面積”は液体の小滴と固体表面との間に存在している接触面積に相当する。接触面積は均質な基材上で円形であり、故に接触面積の直径の尺度は、表面上への液体の塗布面積を計算することを可能にする。
【００１１】
目下、本発明において、本発明による香料溶液の小滴が例えば皮膚のような表面上へいったん適用されれば、液体の塗布面積は、同一ではあるが本発明を特徴付けるシングルポリマーを含まない組成物について測定された面積と比較することにより予期せずに減少される。結果として、本発明による溶液において、エタノールの蒸発後に、香料はより小さな表面中に濃縮され、故に古典的な組成物におけるよりもゆっくりと蒸発する。故に、以下の例において報告されたヘッドスペース測定により示されたように、香料の塗布の面積が、フレグランス、特に、より揮発性の化合物の持続性に影響を及ぼすことが予期せずに見出された。保留剤成分の使用に関連しており、かつ付香成分との特有の相互作用を有する特有の活性化合物の使用を全てベースとしている先行技術の開示に反して、本発明において特許の保護が請求された技術的効果、すなわち表面上に適用される場合に香料溶液の塗布面積を減少させることが、本発明のために使用されるシングルポリマーの特別な化学的性質に結びついていないことをここで挙げることは重要である。さらに言えば、以下の例は、同じ技術的効果が多種多様な化学的性質のシングルポリマーを用いて得られるという事実を明白にする。
【００１２】
本発明の他の態様及び利点は、詳細な説明並びに以下の例において開示される。
【００１３】
故に本発明の第一の対象は、本質的にエタノール５０〜９９質量％；付香成分又は組成物０．５〜５０質量％；水０．５〜５０質量％、及び線状の又は架橋された（メタ−）アクリル酸ホモ−ポリマー、線状の又は架橋された（メタ−）アクリレートコポリマー、アンモニウムアクリロイルジメチルタウレートホモ−又はコポリマー及びポリエチレンオキシド又はその誘導体からなる群から選択される有効量のシングルポリマーを含有する透明で噴霧可能な香料溶液であり、その際に質量％は溶液の全質量に対するものである。
【００１４】
ここで香料溶液の意味することは、アルコール、香料及び水の存在をベースとする組成物であり、その際にアルコールは付香成分又は混合物を可溶化するのに十分な量で存在する。
【００１５】
香料溶液の透明度は精製香料製造業における適用に向けられた製品にとって本質的である。本発明の溶液の透明度は、１ｃｍ幅のセル中で６００ｎｍで測定された、典型的には８０％を上回る、透過により特徴付けられる。
【００１６】
本発明の組成物は流体であり、言い換えれば噴霧されることができる。特にその粘度は典型的には、２５℃で測定され、かつ０．００１ｓ−１に等しいか又はそれ以下のせん断速度で１０Ｐａ．ｓより低く、かつ粘度は、高いせん断速度で、すなわち典型的には１００ｓ−１を上回って、０．１５Ｐａ．ｓより低い。
【００１７】
表面上へ適用される場合の香料の持続性の問題のための本発明により提供される解決手段は有利には、任意の種類の表面、例えばガラス、皮膚又はその他の上に適用される場合に組成物の塗布面積を減少させるために有効量で使用される単一成分の使用に基づいている。言い換えれば、その組成物の小滴と適用される固体との間の接触面積は、前記の活性なシングルポリマーを含まない同一の組成物の小滴で測定された同じ表面よりも小さい。予期せずに、表面上に適用される場合の溶液の塗布面積の減少は、空気中の付香成分の拡散を遅くさせ、故に延長するという技術的効果を有する。さらにかつ、有利には、前記のシングルポリマーの存在は、添加される香料処方物の噴霧適性にも透明性にも影響を及ぼさない。
【００１８】
表面上に適用される場合に香料溶液の塗布面積を減少させることのできるシングルポリマーは、線状の又は架橋された（メタ−）アクリル酸ホモ−ポリマー、線状の又は架橋された（メタ−）アクリレートコポリマー、アンモニウムアクリロイルジメチルタウレートホモ−又はコポリマー及びポリエチレンオキシド又はその誘導体からなる群から選択される。特別な実施態様において、このポリマーは、香料溶液の全質量に対して約０．０５〜１．５質量％の割合で使用される。そのようなポリマーは、特に、商標名Carbopol（登録商標）(出所：Goodrich)又はPemulen（登録商標）(出所：Goodrich)で公知である。
【００１９】
本発明のために適している有効量のシングルポリマーは有利には、典型的な香料溶液の塗布面積を減少させ、このことは付香成分の持続性を改善することが証明された。本発明は表面からの揮発性の付香成分の拡散を拡大するために特に有用であり、このことは香料製造業の分野における重要な利点を構成する。
【００２０】
場合により、本発明の香料溶液は、特にシングルポリマーがイオン性である場合に、中和剤を含有する。本発明のために適している中和剤の例は、ポリオキシエチレン（１５）ココアミン、イソプロパノールアミン、イソプロピルアミン、ジイソプロパノールアミン、トリイソプロパノールアミン、ジエタノールアミン、トリエタノールアミン、トロメタミン、アミノメチルプロパノール又はテトラヒドロキシプロピルエチレンジアミンを含む。市販製品は、Ethomen（登録商標）C/25(出所：Akzo Nobel)、AMP-95（登録商標）(出所：Angus)、又はNeutrol（登録商標）TE(出所：BASF)の名称で販売されている。
【００２１】
本発明の香料溶液は付香成分又は組成物０．５〜５０質量％を含有する。特別な実施態様において後者は４〜３０質量％含まれている。
【００２２】
単一化合物の形の、又は付香組成物を形成する付香成分の混合物の形の、本発明において使用されることができる付香成分は、香料製造業において通常使用される全ての成分である。これらの成分はここでより詳細に記載されない、それというのもそれらの記載は網羅的にできず、かつ当業者は彼の一般的な知識を用いて及び所望の嗅覚効果の相関関係としてそれらを選択することができるからである。これらの付香成分は、アルコール、アルデヒド、ケトン、エステル、エーテル、アセテート、ニトリル、テルペン炭化水素、ヘテロ環式の窒素又は硫黄を含有する化合物並びに天然又は合成の由来の精油のように多様な化学的クラスに属する。これらの成分の多くはさらに参考教本、例えばS. Arctander、Perfume and Flavor Chemicals、1969、Montclair、New Jersey、USAの本、又はそのより最近の版、又は類似の性質の他の本に記載されている。付香成分の性質は、本発明の本質的なパラメーターではなく、かつ後者の選択は、嗜好的要求により、すなわち望ましいフレグランス又は臭いの効果の相関関係として単に指図されるにすぎない。
【００２３】
本発明の香料溶液はそれ自体として香料又はオードトワレのような消費製品を形成することができるか、又は機能的成分、例えば洗剤、清浄、洗浄、精製、デオドラント、制汗剤、抗菌性、コスメティック、コンディショニング又はエモリエントの性質を有する成分と組み合わされて使用されることもでき、故にその際にボディケア又はホームケア領域における機能的な付香された物品、例えばデオドラント、制汗剤、ヘアケア製品、ヘアスプレー又はさらにエアフレッシュナーの製造のための活性基剤を形成する。
【００２４】
本発明は目下、次の例においてより詳細に記載され、その際に温度は摂氏度で示されており、かつ略符号は当工業界において通常の意味を有する。
【実施例】
【００２５】
例１
本発明による香料溶液の製造−塗布面積の比較測定
本発明による２つの香料溶液を次の処方から製造した：
処方１
成分                              質量部
Carbopol Aqua（登録商標）-SF1 １）  １．２
Ethomen C/25 ２）                  ３．０
水                                ５．８
香料組成物３）                    １０．０
エタノール                      ８０．０
合計                            １００．０
１）架橋されたアクリレートコポリマー；出所：Goodrich
２）ポリオキシエチレン（１５）ココアミン；出所：Akzo Nobel
３）香料組成物：
成分                            質量部
Zestover ａ）                    ２．０
酢酸ベンジル                    ６．０
酢酸スチラリル                  １．５
ネオフロロール ｂ）              １．５
アンスラニル酸メチル            １．０
バニリン                        ２．０
クマリン                        １．０
Lilial（登録商標） ｃ）        １０．０
Bacdanol（登録商標） ｄ）        １．０
Hedione（登録商標） ｅ）        ３５．０
Cetalox（登録商標） ｆ）          ２．０
Habanolide（登録商標） ｇ）      ２．０
サリチル酸ベンジル            ３５．０
合計                        １００．０
ａ）２，４−ジメチル−３−シクロヘキセン−１−カルバルデヒド
ｂ）Neoflorol；（＋−）−テトラヒドロ−２−イソブチル−４−メチル−４（２Ｈ）−ピラノール
ｃ）３−（４−ｔ−ブチルフェニル）−２−メチルプロパナール
ｄ）２−エチル−４−（２，２，３−トリメチル−３−シクロペンテン−１−イル）−２−ブテン−１−オール；出所：International Flavors and Fragances、USA
ｅ）ジヒドロジャスモン酸メチル；出所：Firmenich SA、Geneva、スイス連邦
ｆ）８，１２−エポキシ−１３，１４，１５，１６−テトラノルラブダン；出所：Firmenich SA、Geneva、スイス連邦
ｇ）ペンタデセノリド；出所：Firmenich SA、Geneva、スイス連邦。
処方２
成分                              質量部
Hostacerin AMP（登録商標） １）    ０．７
ジイソプロパノールアミン ２）      ０．１
水                              １９．２
香料組成物 ３）                  １０．０
エタノール                      ７０．０
合計                          １００．０
１）アンモニウムポリアクリロイルジメチルタウレートポリマー；出所：Clariant
２）出所：Firmenich SA、Geneva、スイス連邦
３）処方１参照。
【００２６】
比較のために参考溶液を次の処方から製造した：
空処方(Blank formula)
成分                    質量部
水                    １０．０
香料組成物１）          １０．０
エタノール            ８０．０
合計                １００．０
１）処方１参照。
【００２７】
ピペットを用いて、処方１ ２μｌもしくは空処方２μｌを、ミリメートルスケールを有する紙が下に置かれたガラス表面上に置いた。図１は結果の写真を示し、その際に塗布面積を鉛筆を用いて定義した。処方１におけるポリマーの添加がガラス表面上に適用される場合に香料溶液の塗布面積の減少を引き起こしたことがその図に現れている。
【００２８】
類似して、図２は、皮膚上での前記溶液２μｌの適用の間の空処方との比較による処方１及び処方２を報告する写真からなる。双方の写真は、ポリマーの存在を伴うか又は伴わない溶液の塗布面積の間に存在する差を示す。本発明による香料溶液の塗布面積は、適しているポリマーを含まない香料溶液との比較により４〜５倍減少した。
【００２９】
例２
ガラス又は皮膚からの本発明の溶液のヘッドスペース分析
ヘッドスペース分析のための一般的なプロトコル
マイクロシリンジを用いて、処方１もしくは処方２及び空処方のオードトワレ２μｌを、予めエタノールですすいだガラス表面上に又はパネリストのインビボの前腕の内側の皮膚に置いた。
【００３０】
空気中の香料放出の分子の捕集を動的ヘッドスペースにより実施した。空気を捕集セルに通過させ、かつTenax（登録商標）カートリッジ上へ吸着させる。捕集を第一点について１５minの間に及び１ｈについてｔ１５ｍｉｎ、ｔ１ｈ１５、ｔ２ｈ１５、ｔ３ｈ１５及びｔ７ｈで実施した。実施可能性、再現性及び信頼性の心配を考慮して、捕集を皮膚上で４ｈの間のみ実施した。
【００３１】
空気中の香料量はPerkin Elmer ATD400系上でのTenax（登録商標）カートリッジの熱脱着及びガスクロマトグラフィーによる分析により評価する。
【００３２】
図３は、処方１、処方２及び空処方をそれぞれガラス表面上に置いた場合に、一方ではネオフロロール（（＋−）−テトラヒドロ−２−イソブチル−４−メチル−４（２Ｈ）−ピラノール）及び他方ではLilial（登録商標）（３−（４−ｔ−ブチルフェニル）−２−メチルプロパナール）について実施したヘッドスペース分析を報告する。空処方のプロフィールが処方１及び２のそれとは極めて異なり、処方１及び２は反対に、極めて類似していることが示されている。処方１及び２におけるシングルポリマーの存在は明らかに、時間の間に双方の分析される化合物の拡散を揮発性のそれらの差とは別に拡大することを可能にする。
【００３３】
図４は、処方１及び空処方をそれぞれ皮膚上に置いた場合に、一方ではネオフロロール（（＋−）−テトラヒドロ−２−イソブチル−４−メチル−４（２Ｈ）−ピラノール）及び他方ではLilial（登録商標）（３−（４−ｔ−ブチルフェニル）−２−メチルプロパナール）について実施したヘッドスペース分析を報告する。プロフィールは空処方に比較した場合に処方１からの付香成分のより直線的な放出を再び示し、その際に空気中の香料のより高い濃度をネオフロロールの場合に１ｈ後に及びLilial（登録商標）の場合に３ｈを超えた後に引き起こす。故に本発明による溶液はこれらの付香成分の空気中の拡散を拡大することを可能にする。
【００３４】
例３  本発明の溶液中の香料の強さの官能分析
例１に記載されたような処方１及び空処方を、官能パネルを実施するために使用した。より詳細には、ピペットを用いて、処方１ １０μｌもしくは空処方１０μｌを２０人のパネリストの前腕上に置いた。それぞれのパネリストがついで香料の強さをそれぞれ５min、１ｈ、２ｈ、４ｈ及び８ｈ後に０（強さなし）〜１０（強さの最大）のスケールで判定した。
【００３５】
分析の結果は、それぞれの溶液について特定の時間後の平均の強さを報告する図５に現れている。２０人のパネリストのうち１６人が、香料の強さが、皮膚上に適用された４〜８ｈ後に、空処方におけるよりも本発明による溶液、すなわち処方１においてより強く知覚されたことを見出したことが現れている。このことは本発明による香料溶液中の香料の持続性の改善を証明する。
【図面の簡単な説明】
【００３６】
【図１】ポリマーを含まない溶液との比較による、溶液が本発明によるシングルポリマーを含有する場合にガラス表面上に適用されたオードトワレの湿潤又は塗布面積の改変を示す写真。
【図２】本発明によるシングルポリマーを含有する場合及びそのようなポリマーを含まない場合に皮膚上へ適用されたオードトワレの塗布面積を比較する２枚の写真。
【図３】本発明の香料溶液を表面上に適用される場合にその塗布面積を減少させることのできるポリマーを含まない溶液と比較する、ガラス表面からのネオフロロール（（＋−）−テトラヒドロ−２−イソブチル−４−メチル−４（２Ｈ）−ピラノール）もしくはLilial（登録商標）（３−４（ｔ−ブチルフェニル）−２−メチルプロパナール；出所：Givaudan-Roure、Vernier、スイス連邦)の蒸発についてのヘッドスペース結果を示すグラフ。
【図４】本発明による香料溶液を表面上に適用される場合にその塗布面積を減少させることのできるポリマーを含まない溶液と比較する、皮膚からのネオフロロールもしくはLilial（登録商標）（３−４（ｔ−ブチルフェニル）−２−メチルプロパナール；出所：Givaudan-Roure、Vender、スイス連邦)の蒸発についてのヘッドスペース結果を表すグラフ。
【図５】本発明による香料溶液を表面上に適用される場合にその塗布面積を減少させることのできるポリマーを含まない溶液と比較する、官能分析の結果を報告し、かつ時間の関数としてのパネリストにより０〜１０スケールで評価された香料の強さを示すグラフ。
【図１】
2006525403.tif 000002
【図２】
2006525403.tif 000003
【図３】
2006525403.tif 000004
【図４】
2006525403.tif 000005
【図５】
2006525403.tif 000006
【国際調査報告】
2006525403.tif 000007
2006525403.tif 000008